(57)【特許請求の範囲】
【請求項１】
カラオケ曲の演奏音を発生するための演奏データ、該カラオケ曲の手本の歌唱音声を発生するためのガイドボーカルデータを有する楽曲データを記憶する記憶手段と、
前記演奏データを用いてカラオケ曲の演奏音を発生する演奏手段と、
前記ガイドボーカルデータを再生することにより手本の歌唱音声を発生する音声再生手段と、
前記ガイドボーカルデータの再生タイミング、再生速度、および、再生周波数を変更して再生することにより、歌詞の先読み音声を発生する音声処理手段と、
を備えたカラオケ装置。
【請求項２】
前記ガイドボーカルデータは、フレーズ毎に分割された部分データとして記憶されており、
前記音声処理手段は、各部分データ毎に再生タイミング、再生速度、および、再生周波数を変更して再生する請求項１に記載のカラオケ装置。
【請求項３】
前記音声処理手段は、カラオケ曲の歌唱音声の周波数を変換してハーモニー音声を生成する請求項１または請求項２に記載のカラオケ装置。
【請求項４】
複数のスピーカを設け、前記演奏手段が発生した演奏音を全てのスピーカから出力し、前記歌詞の先読み音声を一部のスピーカから出力する請求項１乃至請求項３のいずれかに記載のカラオケ装置。
【発明の詳細な説明】
【０００１】
【発明の属する技術分野】
この発明は、カラオケ曲の手本の歌唱であるガイドボーカルとともに、カラオケ曲の歌詞の先読みであるリードナレーションを発生することのできるカラオケ装置に関する。
【０００２】
【従来の技術】
カラオケ装置は、歌唱者をカラオケ曲の歌唱をするために、カラオケ曲の伴奏を演奏する装置である。したがって、演奏には歌唱は含まれていない。しかし、不慣れな歌唱者や曲を知らない歌唱者のために手本の歌唱音声であるガイドボーカルを発生できるようにしたカラオケ装置も実用化されている。
【０００３】
【発明が解決しようとする課題】
しかし、ガイドボーカルは、そのカラオケ曲を歌唱した音声そのものであるため、このガイドボーカルを発生させると、カラオケ演奏がいわゆる「カラオケ」でなくなって歌唱者が歌唱する余地がなくなるという問題点があった。
【０００４】
また、多人数で一緒に歌唱する場合、全員がモニタに表示される歌詞を見ることができない場合が多い。また、老人や視覚障害者などモニタに表示された歌詞テロップを読むのが困難な歌唱者に歌詞を教えるためには音声で教えるのが最も適当である。
【０００５】
この発明は、歌詞の先読み音声であるリードナレーションを発生させて、歌詞を音声で教えることができるカラオケ装置を提供することを目的とする。
【０００７】
【課題を解決するための手段】
この発明は、カラオケ曲の演奏音を発生するための演奏データ、該カラオケ曲の手本の歌唱音声を発生するためのガイドボーカルデータを有する楽曲データを記憶する記憶手段と、
前記演奏データを用いてカラオケ曲の演奏音を発生する演奏手段と、前記ガイドボーカルデータを再生することにより手本の歌唱音声を発生する音声再生手段と、前記ガイドボーカルデータの再生タイミング、再生速度、および、再生周波数を変更して再生することにより歌詞の先読み音声を発生する音声処理手段と、を備えたことを特徴とする。
【０００８】
このカラオケ装置は、手本の歌唱音声であるガイドボーカルを発生するとともに、歌詞の先読み音声であるリードナレーションを発生する。リードナレーションとは、曲のフレーズの直前（冒頭）にそのフレーズの歌詞を早口で知らせる音声であり、昔フォークソングなどで多くの聴衆が一緒に歌えるように行われた手法である。ガイドボーカルは、歌唱者が歌詞もメロディも知らない場合に発生すればよく、リードナレーションは、歌唱者がメロディは知っているが歌詞をよく知らない場合に発生すればよい。また、モニタに表示される歌詞が見にくい場合、たとえば、歌唱者が老人である場合、歌唱者が多人数でモニタを見ることができない人がいる場合などに有効である。
【０００９】
そして、ガイドボーカルデータは現在多くの楽曲データが有するが、リードナレーションデータを有する楽曲データは少ない。そこで、ガイドボーカルデータを有し、リードナレーションデータを持たない楽曲データの場合、ガイドボーカルデータを用いてリードナレーションの音声を作成する。ガイドボーカルデータは、一般的にフレーズ毎に分割された部分データとして記憶されているため、各部分データ毎に再生タイミング、再生速度、および、再生周波数を変更して再生することにより、リードナレーションとして使用できる音声を発生することができる。すなわち、再生速度を当該フレーズの直前に全ての音声を再生できるように速くし、再生タイミングを当該フレーズの冒頭で再生が終了するように変更する。そして、話言葉になるように歌唱の旋律を除去するように再生周波数を変換する。この歌唱の旋律の除去は、たとえば演奏データ中のガイドメロディデータを用い、全ての音が一定の音高になるように変換する。
【００１０】
そして、カラオケ装置には、マイクから入力された歌唱音声の周波数を変換してハーモニー音声を生成し、これを前記歌唱音声と一緒に出力するいわゆるハモリ機能を有するものがあるが、このハモリ機能を実現する音声処理手段をそのままリードナレーションデータの生成に用いればカラオケ装置のリソースを有効に活用することができる。
【００１１】
この発明は、複数のスピーカを設け、前記演奏手段が発生した演奏音を全てのスピーカから出力し、前記歌詞の先読み音声を一部のスピーカから出力することを特徴とする。
リードナレーションは、たとえば、大勢の聴衆に対して出力して全員で歌唱するために用いたり、モニタに表示される歌詞の読み取りが困難な視覚障害者や老人などに用いたりすることで有効に機能する。前者の場合、聴衆の前で歌っている歌唱者にリードナレーションは不要である。また、後者の場合、聴衆にはリードナレーションが聞こえないほうが歌唱を上手に聞かせることができる。そこで、複数のスピーカを設け、必要なスピーカのみからリードナレーションを出力する。
【００１２】
【発明の実施の形態】
図１はこの発明の実施形態であるカラオケ装置のブロック図である。このカラオケ装置は、ＤＶＤチェンジャ４にセットされるＤＶＤやハードディスク１７に記憶されている楽曲データを読み出し、これを音源装置１８に入力することによってカラオケ曲の楽音を形成・出力するものである。このカラオケ装置は、音源装置１８等を用いて楽音を発生しカラオケ曲を演奏するとともに、利用者（歌唱者）の選択に応じてガイドメロディ、ガイドボーカル、リードナレーションなどの歌唱補助音声を発生することができる。ガイドメロディは歌唱旋律を音源１８で楽音として発生したものである。ガイドボーカルは、音声データとして記憶されている歌手の歌唱音声を再生したものである。リードナレーションは、歌唱する歌詞をフレーズ毎にそのフレーズの冒頭に音声として読み上げるものである。リードナレーションは、リードナレーション用の音声データを設けてもよく、また、上記ガイドボーカル用の音声データを加工して発生してもよい。
【００１３】
図１において、この実施形態のカラオケ装置は、複数のコンポーネントからなるシステムであり、カラオケ装置本体１，コントロールアンプ２，音声信号処理装置３，ＤＶＤ（ディジタル・ビデオ・ディスク）チェンジャ４，スピーカ５，モニタ６，マイク７および赤外線のリモコン装置８で構成されている。カラオケ装置本体１はこのカラオケ装置全体の動作を制御する。該カラオケ装置本体１の制御装置であるＣＰＵ１０には、内部バスを介してＲＯＭ１１，ＲＡＭ１２，ハードディスク１７，通信制御部１６，リモコン受信部１３，表示パネル１４，パネルスイッチ１５，音源装置１８，音声データ処理部１９，文字表示部２０，表示制御部２１が接続されるとともに、上記外部装置であるコントロールアンプ２，音声信号処理装置３およびＤＶＤチェンジャ４がインタフェースを介して接続されている。
【００１４】
ＲＯＭ１１にはこの装置を起動するために必要な起動プログラムなどが記憶されている。装置の動作を制御するシステムプログラム，カラオケ演奏実行プログラムなどはハードディスク１７に記憶されている。カラオケ装置の電源がオンされると上記起動プログラムによってシステムプログラムやカラオケ演奏プログラムがＲＡＭ１２に読み込まれる。
【００１５】
ハードディスク１７には、上記プログラムを記憶するプログラム記憶エリアのほか、楽曲データを記憶する楽曲データ記憶エリアなどが設定されている。楽曲データ記憶エリアは、数千曲分の楽曲データを記憶することができ、配信センタ９が定期的にダウンロードしてくる新曲の楽曲データなどが記憶されている。
【００１６】
前記ＲＡＭ１２には、装置の起動時にハードディスク記憶装置１７からプログラムを読み込むプログラム記憶エリア、リクエストされたカラオケ曲の曲番号を登録する予約曲リスト、演奏されるカラオケ曲の楽曲データを読み込む実行曲データ記憶エリア、および、上記歌唱補助音声のうちどれを発生するかのモードである歌唱補助モードを記憶する歌唱補助モードレジスタなどが設定される。
【００１７】
通信制御部１６はＩＳＤＮ回線を介して配信センタ９と接続される。配信センタ９は、定期的にカラオケ装置に対して電話を掛け、新曲の楽曲データや新しいインデックステーブルなどを配信する。
【００１８】
リモコン装置８は、テンキーなどのキースイッチを備えており、利用者がこれらのスイッチを操作するとその操作に応じたコード信号を赤外線で出力する。利用者は、テンキーを用いてカラオケ装置本体１に対して曲番号を入力する。リモコン受信部１３はリモコン装置８から送られてくる赤外線信号を受信して、そのコード信号を復元しＣＰＵ１０に入力する。ＣＰＵ１０は、リモコン装置８から曲番号が入力されると、この曲番号を、ＲＡＭ１２に設定されている予約リストに登録する。
【００１９】
表示パネル１４およびパネルスイッチ１５は、カラオケ装置本体１の前面に設けられている。パネルスイッチ１５は、前記リモコン装置８と同様の曲番号入力用のテンキーやモード切換スイッチなどを備えている。表示パネル１４は、現在演奏中の曲番号や予約曲数を表示する。
【００２０】
文字表示部２０は、モニタ６の表示領域に対応するＶＲＡＭを備えている。このＶＲＡＭには文字パターンに展開されたカラオケ曲の歌詞が書き込まれる。文字コードとして楽曲データの歌詞トラックに記憶されている歌詞を文字パターンに展開する作業はＣＰＵ１０が行う。ＣＰＵ１０は文字コードをパターンに展開したのち、表示座標に対応するＶＲＡＭ上のアドレスにこれを書き込む。この文字パターンは、映像信号として表示制御部２１に入力される。また、カラオケ演奏時はＤＶＤチェンジャ４は背景映像を再生し、この映像信号も表示制御部２１に入力される。表示制御部２１は、文字パターンを背景映像にスーパーインポーズで合成してモニタ６に表示する。
【００２１】
表示制御部２１は、文字表示部２０の映像信号とＤＶＤチェンジャ４の映像信号をスーパーインポーズ合成するのみでなく、文字表示部２０から入力される映像信号の一部または全部をフェードイン、フェードアウトすることができる。
【００２２】
なお、ＤＶＤチェンジャ４には６枚程度のＤＶＤをセットすることができ、そのうち数枚には上記背景映像が記録されており、他の数枚には定番となっているカラオケ曲の楽曲データが記録されている。この定番曲がリクエストされたとき、ＤＶＤチェンジャ４は、まずその楽曲データを読み出してＲＡＭ１２の実行曲データ記憶エリアに書き込み、こののち背景映像のＤＶＤを再生する。
【００２３】
音源装置１８は、楽曲データ（楽音トラックのイベントデータ）に基づいて楽音を形成し、形成した楽音に対してエフェクト制御トラックで指定されたエフェクトを付与してコントロールアンプ２に出力する。
【００２４】
音声データ処理部１９は、楽曲データに含まれている（または楽曲データに対応して記憶されている）音声データを再生する。音声データとしては、カラオケ演奏のバックコーラスの音声データであるバックコーラスデータ、カラオケ曲の手本となる歌唱の音声データであるガイドボーカルデータおよびカラオケ曲の歌詞をフレーズ毎に先読みした音声データであるリードナレーションデータなどがある。これらバックコーラスデータ、ガイドボーカルデータ、リードナレーションデータはデジタル化（および圧縮）されたデジタル音声データとして記憶されており、音声データ処理部１９はこれらをデコードしてアナログオーディオ信号に変換する。なお、この音声データ処理部１９は、バックコーラスデータをデコードする第１の系統およびガイドボーカルデータまたはリードナレーションデータをデコードする第２の系統の２系統の処理部を有している。デコードされたアナログオーディオ信号は、コントロールアンプ２に入力される。
【００２５】
また、このカラオケ装置は、リードナレーションデータを持たない楽曲データであっても、ガイドボーカルデータを用いてリードナレーションを発生することができる。後述の音声信号処理装置３は、デジタル化された音声信号のテンポや音高を変換する機能を有している。この機能を利用してボーカルの音声データを音高の抑揚を少なく修正して早く読み出すことにより、リードナレーションとして用いることができるようにしている。
【００２６】
コントロールアンプ２には、マイク７が接続されており、カラオケ歌唱者の歌唱音声が入力される。コントロールアンプ２は歌唱音声に対して所定のエフェクト（ボーカルエフェクト）を付与するとともに、歌唱音声・カラオケ演奏音をそれぞれイコライジング、ミキシングしたのち増幅してスピーカ５に出力する。
【００２７】
また、音声信号処理装置３は、コントロールアンプ２から歌唱音声を入力して種々のエフェクトを付与する装置である。エコーなどの単純なエフェクトはコントロールアンプ２が単独で付与することができるが、マイク７から入力された歌唱音声の音程のずれを修正したり、この歌唱音声の周波数等を変換して他のパートのハーモニー歌唱を作成するなどの処理はこの音声信号処理装置３が行う。ピッチ修正された歌唱音声や新たに作成されたハーモニー歌唱音声などは再度コントロールアンプ２に入力される。また、上記音声のずれの修正やハーモニー歌唱の作成を行う機能を用いて、上記のようにガイドボーカル音声データからリードナレーションを作成することもできる。
【００２８】
図２を参照してこの発明のガイドボーカルとリードナレーションについて説明する。カラオケ曲は、たとえば、同図上段に示すように前奏、コーラス１、間奏１、コーラス２、間奏２、コーラス３、後奏で構成される。このうち、コーラス１の冒頭の部分を詳細に見ると、カラオケ曲の演奏は連続して行われているが、ボーカルはフレーズ毎に切れている。楽曲データが有するガイドボーカルデータは、このボーカルの手本の歌唱音声を再生するためのデータであるが、このデータもフレーズ毎に別々の部分データを集めたものとして楽曲データに含まれている。また、このカラオケ曲の歌詞を歌唱タイミングに先立って早く読み上げる音声であるリードナレーションを再生するためのリードナレーションデータもフレーズ毎に音声データ（部分データ）を集めたものとして楽曲データに含まれている。リードナレーションの再生タイミングは、対応するフレーズの歌唱タイミングの直前の無歌唱区間である。
【００２９】
図３は、カラオケ曲を演奏するための楽曲データ構成を示す図である。同図（Ａ）はリードナレーションデータを含む楽曲データの構成を示す図である。楽曲データは、曲名，ジャンル，リリース日などが書き込まれているヘッダ、ガイドメロディトラックを含み、複数パートの演奏データが書き込まれている演奏データトラック、歌詞データが書き込まれている歌詞データトラック、バックコーラス指定データが書き込まれているバックコーラス指定データトラック、ガイドボーカル指定データが書き込まれているガイドボーカル指定データトラック、リードナレーション指定データが書き込まれているリードナレーション指定データトラック、周辺機器制御データが書き込まれている周辺機器制御データトラック、バックコーラスの音声データ（部分データ群）が書き込まれているバックコーラスデータ部、ガイドボーカルの音声データ（部分データ群）が書き込まれているガイドボーカルデータ部、リードナレーションの音声データ（部分データ群）が書き込まれているリードナレーションデータ部からなっている。
【００３０】
演奏データトラック，歌詞データトラック，バックコーラス指定データトラック、ガイドボーカル指定データトラック、リードナレーション指定データトラック、周辺機器制御データトラックの各トラックは全て、複数のイベントデータと各イベントデータの読み出しタイミングを示すタイミングデータからなるシーケンスデータとして記述されている。シーケンスプログラムは、所定のテンポクロックでタイミングデータをカウントし、カウントデータをカウントアップしたときこれに続くイベントデータを読み出して所定の処理部へ出力する。タイミングデータは、曲の先頭からの時間で記述してもよく直前のイベントからの間隔で記述してもよい。
【００３１】
演奏データトラックのイベントデータは、楽音を発生するためのデータであるため、ＭＩＤＩの汎用フォーマットで記述することができる。これ以外のトラックのイベントデータは通常のＭＩＤＩメッセージではないが、インプリメンテーションの統一をとり、作業工程を容易にするためこのトラックもシステムエクスクルーシブメッセージとしてＭＩＤＩフォーマットで記述されている。
【００３２】
バックコーラス指定データトラックのイベントデータ（バックコーラス指定データ）は、複数の部分データの集合として記憶されているバックコーラスデータのなかから１つの部分データを指定するとともに、その部分データの再生タイミングを指定するデータである。このトラックのタイミングデータはこのイベントデータの読み出しタイミングを指定しており、バックコーラスの音声データ（部分データ）の再生タイミングは、バックコーラス指定データ内のタイミング指定データによって指定される。
【００３３】
ガイドボーカル指定データトラックのイベントデータ（ガイドボーカル指定データ）は、複数の部分データの集合として記憶されているガイドボーカルデータのなかから１つの部分データを指定するとともに、その部分データの再生タイミングを指定するデータである。このトラックのタイミングデータはこのイベントデータの読み出しタイミングを指定しており、ガイドボーカルの音声データ（部分データ）の再生タイミングは、ガイドボーカル指定データ内のタイミング指定データによって指定される。
【００３４】
リードナレーション指定データトラックのイベントデータ（リードナレーション指定データ）は、複数の部分データの集合として記憶されているリードナレーションデータのなかから１つの部分データを指定するとともに、その部分データの再生タイミングを指定するデータである。このトラックのタイミングデータはこのイベントデータの読み出しタイミングを指定しており、リードナレーションの音声データ（部分データ）の再生タイミングは、リードナレーション指定データ内のタイミング指定データによって指定される。
【００３５】
なお、図３において、リードナレーションデータやガイドボーカルデータは、楽曲データの一部として構成されているが、楽曲データとは別のファイルとしてハードディスク１７等に記憶し、楽曲データのヘッダにそのファイル名などを書き込んで対応づけるようにしてもよい。
【００３６】
同図（Ｂ）はリードナレーションデータを含まない楽曲データの構成を示す図である。この楽曲データは、同図（Ａ）の楽曲データと比較して、リードナレーション指定データトラックおよびリードナレーションデータが存在していない。このような楽曲データを用いて、リードナレーションを発生する場合、ガイドボーカルデータの再生タイミング、再生速度、再生周波数を音声信号処理装置３を用いてリードナレーションのように変換し、これを再生した音声をリードナレーションとして用いる。
【００３７】
以下、ガイドボーカルデータからリードナレーションデータを作成する手法を説明する。ガイドボーカル指定トラックのイベントデータ（ガイドボーカル指定データ）を先読みし、このイベントデータが指定するガイドボーカルの音声データを読み出す。そして、これを音声信号処理装置３に入力して、リードナレーションとして使用できるように、再生時間を圧縮する。この時間圧縮は元の音声データと周波数が変化しないように行う。また、子音と母音とを認識し、子音は圧縮せず、母音のみ時間を短くする。そして、旋律によって母音の長さが不揃いになっている可能性があるが、これをほぼ同じ長さに揃える。また、各母音の周波数は歌唱の音高になっているが、これをほぼ同じ周波数になるように音高変換して修正する。この修正は完全に行うのでなく、若干抑揚を残して行うようにする。音高変換するための音高情報はガイドメロディトラックが示す旋律データを用いて行う。なお、再生タイミングと再生速度の変換は図２の破線で示すように行えばよい。
【００３８】
以上の処理をカラオケ曲の演奏に先立って全曲にわたって行い、リードナレーション指定データトラックおよびリードナレーションデータ部を新たに作成してからカラオケ曲の演奏をスタートしてもよく、以上の処理を演奏中にフレーズ毎に行ってもよい。この場合音声信号処理装置３が変換した音声データがコントロールアンプ２を介してスピーカ５から出力される。
【００３９】
図４は同カラオケ装置の動作を示すフローチャートである。
同図（Ａ）は歌唱補助モード選択動作を示すフローチャートである。歌唱補助モードは、「補助なし」、「ガイドボーカル」、「ガイドメロディ」、「リードナレーション」、「ガイドメロディ＋リードナレーション」の５種類があり、リモコン８やパネルスイッチ１５の操作で利用者がそのいずれかを選択することができる。利用者がリモコン８やパネルスイッチ１５を操作して歌唱補助モードを選択すると（ｓ１）、選択された歌唱補助モードを、ＲＡＭ１２に設定されている歌唱補助モードレジスタに記憶する（ｓ２）。
【００４０】
同図（Ｂ）はカラオケ演奏動作を示すフローチャートである。利用者が選曲したカラオケ曲の楽曲データをハードディスク１７やＤＶＤからＲＡＭ１２の実行データ記憶エリアに読み出す（ｓ１０）。この楽曲データを用いてカラオケ曲の演奏をスタートする。カラオケ曲の演奏は、楽曲データの演奏データトラックのイベントデータで音源装置１８を駆動し、バックコーラスデータを音声データ処理部１９で再生するなどする動作である。そして歌唱補助モードを判断する（ｓ１２、ｓ１３、ｓ１５）。歌唱補助モードが「補助なし」であれば、何もしないでカラオケ曲の演奏を継続する。歌唱補助モードが「ガイドメロディ」であれば、演奏データトラック中のガイドメロディトラックのイベントデータも音源装置１８に入力し、音源装置１８にガイドメロディを発生させる（ｓ１４）。また、歌唱補助モードが「ガイドボーカル」であればガイドボーカル指定データトラックのイベントデータを読み出し、このイベントデータに応じてガイドボーカルの音声データを音声データ処理部１９に入力することによって、ガイドボーカルを発生する（ｓ１６）。
【００４１】
また、歌唱補助モードが「リードナレーション」であれば、この楽曲データにリードナレーションのためのデータ、すなわちリードナレーションデータ、リードナレーション指定データトラックが存在するかを判断する（ｓ１７）。リードナレーションのためのデータが存在する場合にはリードナレーション指定データトラックのイベントデータを読み出し、このイベントデータに応じてリードナレーションの音声データを音声データ処理部１９に入力することによって、リードナレーションを発生する（ｓ１９）。一方、リードナレーションのためのデータが存在しない場合（ｓ１７）には、ガイドボーカルのデータからリードナレーションのためのデータを作成し（ｓ１８）、これを用いてリードナレーションを発生する（ｓ１９）。リードナレーションのためのデータの作成手法は上述したとおりである。
【００４２】
また、歌唱補助モードが「ガイドメロディ＋リードナレーション」の場合には、まずガイドメロディトラックのデータを音源装置１８に入力してガイドメロディを発生させるとともに（ｓ１４）、ｓ１７〜ｓ１９の処理を行ってリードナレーションを発生する。
【００４３】
なお、図１では、スピーカ５は１系統であるが、歌唱者用のスピーカと聴衆用のスピーカを設け、その一方のみにリードナレーションを出力することもできる。すなわち、図５に示すようにコントロールアンプ２の出力系統を２系統にして一方に聴衆用スピーカ５ａを接続し、他方に歌唱用モニタスピーカ５ｂを接続する。そして、同図（Ａ）に示すように、聴衆用スピーカ５ａのみにリードナレーションを出力することにより、大勢の聴衆がステージ上の歌唱者と一緒にカラオケ曲を歌唱できるようにすることができる。また、同図（Ｂ）のように、歌唱用モニタスピーカ５ｂのみにリードナレーションを出力することにより、モニタの歌詞を読み取り難い老人や視覚障害者の補助をすることができる。
【００４４】
この場合、リードナレーションの出力先は、利用者の操作または楽曲データに埋め込まれている設定情報等により「聴衆用スピーカ５ａのみ」、「歌唱用モニタスピーカ５ｂのみ」、「両方」に切り換え可能である。
【００４５】
なお、聴衆用スピーカ５ａ、歌唱用モニタスピーカ５ｂの個数は１個に限定されない。また、各系統はモノラル、ステレオ、マルチチャンネルのいずれでもよい。
【００４６】
さらに、このように歌詞がリードナレーションとして発生されるため、歌詞テロップを表示するモニタがなくても歌唱者が歌唱することができ、モニタ無しでカラオケ装置を運用することも可能になる。また、歌唱者が振りをつけたり踊りながら歌唱してモニタを見ることができない場合でもヘッドセットを用いてリードナレーションを聞きながら歌唱することにより、歌詞を知らない曲を歌唱することができる。
【００４７】
【発明の効果】
以上のようにこの発明によれば、歌詞の先読み音声であるリードナレーションや手本の歌唱であるガイドボーカルを選択的に発生することができるため、歌唱者が自分の練習の程度にあわせて上記歌唱補助の音声を発生させることができる。また、この発明ではリードナレーションのデータをガイドボーカルデータから作成することができるため、従来の楽曲データでもリードナレーションを発生することができる。
【図面の簡単な説明】
【図１】この発明の実施形態であるカラオケ装置のブロック図
【図２】同カラオケ装置のガイドボーカルとリードナレーションのタイミングを示す図
【図３】同カラオケ装置で用いられる楽曲データの構成を示す図
【図４】同カラオケ装置の動作を示すフローチャート
【図５】同カラオケ装置をマルチスピーカ構成にした場合の出力系統図
【符号の説明】
１…カラオケ装置本体、２…コントロールアンプ、３…音声信号処理装置、４…ＤＶＤチェンジャ、５…スピーカ、５ａ…聴衆用スピーカ、５ｂ…歌唱用モニタスピーカ、６…モニタ、７…マイク、８…リモコン装置、９…配信センタ、
１０…ＣＰＵ、１１…ＲＯＭ、１２…ＲＡＭ、１３…リモコン受信部、１４…表示パネル、１５…パネルスイッチ、１６…通信制御部、１７…ハードディスク、１８…音源装置、１９…音声データ処理部、２０…文字表示部、２１…表示制御部
【図１】
0004174940.tif 000002
【図２】
0004174940.tif 000003
【図３】
0004174940.tif 000004
【図４】
0004174940.tif 000005
【図５】
0004174940.tif 000006